(57)【要約】【課題】配光特性が異なる複数の照明ユニットである第１ＬＥＤユニット７ａと第２ＬＥＤユニット７ｂの調光の変化がより滑らかに感じることができる照明装置１および照明システム１００を提供することを目的とする。【解決手段】照明装置１は、調光器８に接続可能である。照明装置１は、配光特性が異なる複数の照明ユニットである第１ＬＥＤユニット７ａと第２ＬＥＤユニット７ｂと、調光器８からの調光情報である導通角を基準とする信号Ｓａｄに基づいて第１ＬＥＤユニット７ａの光出力Ｗａと第２ＬＥＤユニット７ｂの光出力Ｗｂとをそれぞれ制御する照明ユニット制御部２を備え、第１ＬＥＤユニット７ａの光出力Ｗａが基準値Ｗａｔ以上の場合、照明ユニット制御部２が調光器８からの信号Ｓａｄを取得すると第１ＬＥＤユニット７ａの光出力Ｗａと第２ＬＥＤユニット７ｂの光出力Ｗｂとが同時に変更される。【選択図】図１
2015210875.tif 000002
【特許請求の範囲】
【請求項１】
調光器に接続可能な照明装置であって、
配光特性が異なる複数の照明ユニットと、前記調光器からの調光情報に基づいて複数の照明ユニットの光出力をそれぞれ制御する照明ユニット制御部を備え、
複数の照明ユニットのうち一の照明ユニットの光出力が基準値以上の場合、照明ユニット制御部が調光器からの導通角を基準とする調光情報を取得すると前記一の照明ユニットの光出力と他の照明ユニットの光出力とが同時に変更される、照明装置。
【請求項２】
請求項１に記載の照明装置であって、
前記一の照明ユニットの光出力が前記基準値以上である場合における前記一の照明ユニットの光出力の単位導通角当たりの変化量と、前記一の照明ユニットの光出力が基準値未満である場合における前記一の照明ユニットの光出力の単位導通角当たりの変化量とが異なる値に設定される、照明装置。
【請求項３】
請求項２に記載の照明装置であって、
前記一の照明ユニットの光出力が前記基準値から最小値に変更されるまでの間に、前記他の照明ユニットの光出力がゼロまたは最小値に変更される、照明装置。
【請求項４】
請求項１から請求項３のうちいずれか一項に記載の照明装置と、調光器とを備える照明システムであって、
前記複数の照明ユニットのうち前記一の照明ユニットの光出力が基準値以上の場合、前記調光器からの調光情報を取得すると前記一の照明ユニットの光出力と前記他の照明ユニットの光出力とが同時に変更される、照明システム。
【発明の詳細な説明】
【技術分野】
【０００１】
本発明は、照明装置および照明システムに関する。詳しくは、配光特性が異なる照明ユニットを備えた照明装置および照明システムに関する。
【背景技術】
【０００２】
近年、高輝度ＬＥＤを照明用の光源とした照明装置が知られている。このような照明装置において、配光特性が異なるＬＥＤユニットを備えた照明装置がある。照明装置は、それぞれのＬＥＤユニットの光出力を変更することで照射範囲の全域を照らしている状態から、照射範囲のうち特定の照射範囲の照度を維持したままその他の照射範囲の照度を低くして、所望の範囲のみを明るく照らすことができるものである。例えば特許文献１のごとくである。
【先行技術文献】
【特許文献】
【０００３】
【特許文献１】特開２０１１−１７１０７１号公報
【発明の概要】
【発明が解決しようとする課題】
【０００４】
特許文献１に記載されている照明装置は、照射範囲がせまい局所照明ユニットと照射範囲が広い全般照明ユニットとの光出力をそれぞれ変更できるが、全般照明ユニットの光出力がしきい出力よりも低くなるまで局所照明ユニットの光出力を最大出力に保つように構成されている。つまり、照明装置は、全般照明ユニットの光出力がしきい出力に到達するまで局所照明ユニットの照射範囲における照度と全般照明ユニットの照射範囲における照度との差が増大する。そして、照明装置は、照度の差が増大した状態から局所照明ユニットの光出力が変更される。このため、照明装置は、局所照明ユニットの光出力の変化量以上に局所照明ユニットの照射範囲における照度の変化が強調され、調光が滑らかに感じられない場合があった。
【０００５】
本発明は係る課題を鑑みてなされたものであり、配光特性が異なる複数の照明ユニットの調光の変化がより滑らかに感じることができる照明装置および照明システムを提供することを目的とする。
【課題を解決するための手段】
【０００６】
即ち、本願に開示する照明装置は、調光器に接続可能な照明装置であって、配光特性が異なる複数の照明ユニットと、前記調光器からの調光情報に基づいて複数の照明ユニットの光出力をそれぞれ制御する照明ユニット制御部を備え、複数の照明ユニットのうち一の照明ユニットの光出力が基準値以上の場合、照明ユニット制御部が調光器からの調光情報を取得すると前記一の照明ユニットの光出力と他の照明ユニットの光出力とが同時に変更されるものである。
【０００７】
本願に開示する照明装置は、前記一の照明ユニットの光出力が前記基準値以上である場合における前記一の照明ユニットの光出力の単位導通角当たりの変化量と、前記一の照明ユニットの光出力が基準値未満である場合における前記一の照明ユニットの光出力の単位導通角当たりの変化量とが異なる値に設定されるものである。
【０００８】
本願に開示する照明装置は、前記一の照明ユニットの光出力が前記基準値から最小値に変更されるまでの間に、前記他の照明ユニットの光出力がゼロまたは最小値に変更されるものである。
【０００９】
本願に開示する照明システムは、照明装置と、調光器とを備える照明システムであって、前記複数の照明ユニットのうち前記一の照明ユニットの光出力が基準値以上の場合、前記調光器からの調光情報を取得すると前記一の照明ユニットの光出力と前記他の照明ユニットの光出力とが同時に変更されるものである。
【発明の効果】
【００１０】
本願に開示する照明装置によれば、配光特性が異なる複数の照明ユニットの調光の変化がより滑らかに感じることができる。
【図面の簡単な説明】
【００１１】
【図１】本発明の一実施形態に係る照明装置におけるＬＥＤ駆動装置の概略構成図。
【図２】本発明の一実施形態に係る照明装置におけるＬＥＤモジュールの構成図。
【図３】本発明の一実施形態に係る照明装置における調光情報である信号とＰＷＭ信号との関係を表すグラフを示す図。
【図４】（ａ）本発明の一実施形態に係る照明装置における調光器の値が最大値に設定された場合の電圧波形を表すグラフを示す図（ｂ）同じく調光器の値が中間値に設定された場合の電圧波形を表すグラフを示す図（ｃ）同じく調光器の値が最小値に設定された場合の電圧波形を表すグラフを示す図。
【発明を実施するための形態】
【００１２】
まず、図１から図３を用いて本発明に係る照明装置の実施の第一実施形態である照明装置１について説明する。
【００１３】
図１に示すように、照明装置１は、配光特性が異なる照明ユニットを光源とする照明装置である。照明装置１は、照明ユニット制御部２とＬＥＤモジュール７とから構成されている。ＬＥＤモジュール７は、照明ユニットである第１ＬＥＤユニット７ａと第２ＬＥＤユニット７ｂとを備える。なお、本実施形態において照明装置１は、照明ユニットが第１ＬＥＤユニット７ａと第２ＬＥＤユニット７ｂから構成されているがこれに限定されるものではなく、配光特性が異なる照明ユニットであればよい。
なお、第１ＬＥＤユニット７ａは、本発明の「一の照明ユニット」の一例である。第２ＬＥＤユニット７ｂは、本発明の「他の照明ユニット」の一例である。また、本実施形態では、照明ユニットに備える光源としてＬＥＤを採用したが、有機ＥＬ素子など他の光源を採用することができる。また、「一の照明ユニット」は、照明ユニットの数を特定しているものではない。また、「一の照明ユニット」と「他の照明ユニット」との間に主従関係はない。
【００１４】
照明ユニット制御部２は、ＬＥＤモジュール７に供給する電流を制御するものである。照明ユニット制御部２は、第１ＤＣ／ＤＣコンバータ３、第２ＤＣ／ＤＣコンバータ４および調光信号生成装置５を具備している。
【００１５】
第１ＤＣ／ＤＣコンバータ３は、調光信号生成装置５からのＰＷＭ信号Ｓａに基づいて所定の電流Ｉａを出力するものである。第１ＤＣ／ＤＣコンバータ３は、入力端子にダイオードブリッジ６を介して交流電源ＡＣが接続されている。第１ＤＣ／ＤＣコンバータ３は、ダイオードブリッジ６によって全波整流された電流Ｉが供給されるとＰＷＭ信号Ｓａに基づいて電流Ｉを所定の電流Ｉａに変換し、出力端子から出力できるように構成されている。
【００１６】
同様にして、第２ＤＣ／ＤＣコンバータ４は、調光信号生成装置５からのＰＷＭ信号Ｓｂに基づいて所定の電流Ｉｂを出力するものである。第２ＤＣ／ＤＣコンバータ４は、入力端子にダイオードブリッジ６を介して交流電源ＡＣが接続されている。第２ＤＣ／ＤＣコンバータ４は、ダイオードブリッジ６によって全波整流された電流Ｉが供給されるとＰＷＭ信号Ｓｂに基づいて電流Ｉを所定の電流Ｉｂに変換し、出力端子から出力できるように構成されている。
【００１７】
調光信号生成装置５は、第１ＤＣ／ＤＣコンバータ３に伝達するＰＷＭ信号Ｓａと第２ＤＣ／ＤＣコンバータ４に伝達するＰＷＭ信号Ｓｂとを生成するものである。調光信号生成装置５は、ダイオードブリッジ６を介して交流電源ＡＣが接続されている。これにより、調光信号生成装置５は、ダイオードブリッジ６で全波整流された電圧Ｖを調光情報である信号Ｓａｄとして取得可能に構成されている。
【００１８】
調光信号生成装置５は、調光情報である信号Ｓａｄ毎に設定された第１ＬＥＤユニット７ａにおける調光率に関する情報であるＰＷＭ信号Ｓａと第２ＬＥＤユニット７ｂにおけるＰＷＭ信号Ｓｂが記憶されている（図３参照）。具体的には、調光信号生成装置５は、電圧Ｖの導通角（位相角）のデータと、導通角データに対応付けられた調光データとを含むテーブルを記憶している。調光信号生成装置５は、信号Ｓａｄ（電圧Ｖ）を取得すると、その信号Ｓａｄに対応する調光データをテーブルから読み出し、読み出した調光データからＰＷＭ信号Ｓａ・Ｓｂを生成するように構成されている。さらに、調光信号生成装置５は、ＰＷＭ信号Ｓａを第１ＤＣ／ＤＣコンバータ３に伝達し、ＰＷＭ信号Ｓｂを第２ＤＣ／ＤＣコンバータ４に伝達するように構成されている。なお、本実施形態では、調光信号生成装置５は、電圧Ｖの導通角（位相角）を検出してＰＷＭ信号Ｓａ及びＳｂを生成しているが、電圧Ｖの波形の振幅レベル、または電圧Ｖの波形の面積などを検出して、検出した値に対応する調光データを予め保持しておき、その調光データからＰＷＭ信号Ｓａ及びＳｂを生成する構成にしてもよい。
【００１９】
ＬＥＤモジュール７は、照明ユニットである複数のＬＥＤユニットから構成されている光源である。ＬＥＤモジュール７は、一のＬＥＤユニットである第１ＬＥＤユニット７ａと他のＬＥＤユニットである第２ＬＥＤユニット７ｂとから構成されている。第１ＬＥＤユニット７ａと第２ＬＥＤユニット７ｂとは、所定の配光特性を有するレンズ（不図示）、拡散板（不図示）、または反射板（不図示）等の光学制御部品を含んで構成されている。本実施形態では、第１ＬＥＤユニット７ａはＬＥＤとレンズとを含み、第２ＬＥＤユニット７ｂはＬＥＤと拡散板と反射板とを含む。第１ＬＥＤユニット７ａは、レンズによって、ＬＥＤ出射光の配光角度が狭角または中角に制御された光を出力する。第２ＬＥＤユニット７ｂは、複数のＬＥＤを含む。また、第２ＬＥＤユニット７ｂは、拡散板及び反射板によって、ＬＥＤ出射光の配光角度が広角に制御された光を出力する。すなわち、第２ＬＥＤユニット７ｂは、第１ＬＥＤユニット７ａよりも照射範囲が広くなるように構成されている。すなわち、ＬＥＤモジュール７は、配光特性が異なる第１ＬＥＤユニット７ａと第２ＬＥＤユニット７ｂとから構成されている。
【００２０】
ＬＥＤモジュール７は、照明ユニット制御部２に接続されている。具体的には、ＬＥＤモジュール７を構成する第１ＬＥＤユニット７ａのＬＥＤが照明ユニット制御部２の第１ＤＣ／ＤＣコンバータ３の出力端子に接続されている。同様に、ＬＥＤモジュール７を構成する第２ＬＥＤユニット７ｂのＬＥＤが照明ユニット制御部２の第２ＤＣ／ＤＣコンバータ４の出力端子に接続されている。これにより、照明ユニット制御部２の第１ＤＣ／ＤＣコンバータ３から電流Ｉａが第１ＬＥＤユニット７ａのＬＥＤに供給される。同様にして、ＬＥＤモジュール７は、照明ユニット制御部２の第２ＤＣ／ＤＣコンバータ４から電流Ｉｂが第２ＬＥＤユニット７ｂのＬＥＤに供給される。
【００２１】
図２（ａ）に示すように、ＬＥＤモジュール７は、第１ＬＥＤユニット７ａのＬＥＤと第２ＬＥＤユニット７ｂのＬＥＤとが実装された少なくとも１枚の基板を備える。ＬＥＤモジュール７の基板は、第１ＬＥＤユニット７ａのＬＥＤを囲むようにしてその周囲に第２ＬＥＤユニット７ｂのＬＥＤが配置されている。第１ＬＥＤユニット７ａは、図２（ｂ）における領域Ａの範囲を照射し、第２ＬＥＤユニット７ｂは、図２（ｂ）における領域Ａと領域Ｂとの範囲を照射する。なお、本実施形態において、第１ＬＥＤユニット７ａは、一つのＬＥＤを含むがこれに限定するものではなく複数のＬＥＤを含んでいてもよい。また、ＬＥＤモジュール７の基板は、第１ＬＥＤユニット７ａのＬＥＤと第２ＬＥＤユニット７ｂのＬＥＤとが実装されているがこれに限定されるものではなく、互いに異なる基板上に実装してもよい。ＬＥＤモジュール７は、第１ＬＥＤユニット７ａと第２ＬＥＤユニット７ｂとから構成されているがこれに限定されるものではなく、配光特性が異なる複数のＬＥＤユニットから構成されていればよい。
【００２２】
このように構成されている照明装置１は、交流電源ＡＣから電力が供給が供給されると、信号Ｓａｄに基づき照明ユニット制御部２の調光信号生成装置５によってＰＷＭ信号Ｓａ・Ｓｂを生成する。また、照明装置１は、照明ユニット制御部２の第１ＤＣ／ＤＣコンバータ３によって電流ＩをＰＷＭ信号Ｓａに基づいた電流Ｉａに変換し、ＬＥＤモジュール７の第１ＬＥＤユニット７ａに供給する。同様に、照明装置１は、照明ユニット制御部２の第２ＤＣ／ＤＣコンバータ４によって電流ＩをＰＷＭ信号Ｓｂに基づいた電流Ｉｂに変換し、ＬＥＤモジュール７の第２ＬＥＤユニット７ｂに供給する。
【００２３】
次に、図３を用いて、調光情報である信号ＳａｄとＰＷＭ信号Ｓａ・Ｓｂとの関係について説明する。信号Ｓａｄは、例えば電圧Ｖの導通角（位相角）に相当する。ＰＷＭ信号Ｓａ・Ｓｂは、第１ＬＥＤユニット７ａ及び第２ＬＥＤユニット７ｂのＬＥＤから出射する光の明るさに比例する。図２に示すように、ＰＷＭ信号Ｓａ・Ｓｂは、信号Ｓａｄ毎に第１ＬＥＤユニット７ａについてのＰＷＭ信号Ｓａと第２ＬＥＤユニット７ｂについてのＰＷＭ信号Ｓｂとがそれぞれ別個に設定されている。
【００２４】
図３に示すように、第１ＬＥＤユニット７ａについてのＰＷＭ信号Ｓａは、信号Ｓａｄが信号Ｓａｄ１であるとき、第１ＬＥＤユニット７ａの光出力Ｗａを最大にするＰＷＭ信号Ｓａ１に設定されている。また、ＰＷＭ信号Ｓａは、信号Ｓａｄが信号Ｓａｄｔであるとき、光出力Ｗａを基準値Ｗａｔと同じ値にするＰＷＭ信号Ｓａｔに設定されている。さらに、ＰＷＭ信号Ｓａは、信号Ｓａｄ３であるとき、光出力Ｗａをゼロまたは最小にするＰＷＭ信号Ｓａ３に設定されている。この際、ＰＷＭ信号Ｓａは、信号Ｓａｄが信号Ｓａｄ１から信号Ｓａｄｔまでの間にあるとき、光出力Ｗａが最大値から基準値Ｗａｔまで単位導通角（位相角）当たり変化量ΔＷａ１だけ変化するように構成されている。さらに、ＰＷＭ信号Ｓａは、信号Ｓａｄが信号Ｓａｄｔから信号Ｓａｄ３までの間にあるとき、光出力Ｗａが基準値Ｗａｔからゼロまたは最小値まで単位導通角（位相角）当たり変化量ΔＷａ２だけ変化するように構成されている。
【００２５】
第２ＬＥＤユニット７ｂについてのＰＷＭ信号Ｓｂは、信号Ｓａｄが信号Ｓａｄ１であるとき、第２ＬＥＤユニット７ｂの光出力Ｗｂを最大にするＰＷＭ信号Ｓｂ１に設定されている。また、ＰＷＭ信号Ｓｂは、信号Ｓａｄが信号Ｓａｄ２であるとき、光出力Ｗｂをゼロまたは最小にするＰＷＭ信号Ｓｂ２に設定されている。この際、ＰＷＭ信号Ｓｂは、信号Ｓａｄが信号Ｓａｄ１から信号Ｓａｄ２までの間にあるとき、光出力Ｗａが最大値からゼロまたは最小値まで単位導通角（位相角）当たり変化量ΔＷｂ１だけ変化するように構成されている。なお、本実施形態において、信号Ｓａｄ２は、第１ＬＥＤユニット７ａの光出力Ｗａを基準値ＷａｔにするＰＷＭ信号Ｓａｔに対応する信号Ｓａｄｔと同一に設定されている。
【００２６】
つまり、照明装置１は、調光信号生成装置５が電圧Ｖから信号Ｓａｄｔ（信号Ｓａｄ２）を取得すると、第１ＬＥＤユニット７ａの光出力Ｗａを基準値Ｗａｔと同じ値にし、第２ＬＥＤユニット７ｂの光出力Ｗｂをゼロまたは最小にするように構成されている。なお、本実施形態において、信号Ｓａｄ２と信号Ｓａｄｔとを同一としたがこれに限定されるものではなく、光出力Ｗａが基準値Ｗａｔと同じ値になる信号Ｓａｄｔとゼロまたは最小値になる信号Ｓａｄ３との間に信号Ｓａｄ２が設定されていればよい。
【００２７】
以下では、図１及び図４を用いて、本発明の一実施形態に係る照明装置１を含む照明システム１００について説明する。図４は電圧Ｖの波形を示す。図４（ａ）は、調光器８のツマミ８ａが最大値を指しているときの電圧Ｖの波形を示す。図４（ｂ）は、調光器８のツマミ８ａが最大値と最小値との中間値を指しているときの電圧Ｖの波形を示す。図４（ｃ）は、調光器８のツマミ８ａが最小値を指しているときの電圧Ｖの波形を示す。
【００２８】
図１に示すように、照明システム１００は、照明装置１を構成している配光特性が異なる複数の照明ユニットの照度を任意の値に変更することができるものである。照明システム１００は、照明装置１と調光器８とから構成されている。
【００２９】
調光器８は、交流電源ＡＣの電圧Ｖの導通角（位相角）を任意に変更するものである。具体的には、調光器８は、交流電圧の半周期分の電圧波形のうちその一部を任意の割合で欠落させるものである。例えば、調光器８のツマミ８ａが最大値を指しているとき、電圧Ｖは、図４（ａ）に示すように波形の欠落が無い波形となる。また、調光器８のツマミ８ａが中間値を指しているとき、電圧Ｖは、図４（ｂ）に示すように１／２周期ごとに波形の半分を欠落させた波形となる。また、調光器８のツマミ８ａが最小値を指しているとき、電圧Ｖは、図４（ｃ）に示すように１／２周期ごとに波形の３／４を欠落させた波形となる。これにより、照明ユニット制御部２の第１ＤＣ／ＤＣコンバータ３と第２ＤＣ／ＤＣコンバータ４は、調光器８によって波形が変調された電圧Ｖが印加されると同時に、調光信号生成装置５は電圧Ｖを調光情報である信号Ｓａｄとして取得している。調光器８は、入力側端子が交流電源ＡＣに接続されている。また、調光器８は、出力側端子が照明装置１の照明ユニット制御部２に接続されている。調光器８は、調光用のツマミ８ａが設けられ、使用者により回転操作されることにより多段階に電圧Ｖの導通角（位相角）を変更できるように構成されている。すなわち、調光器８は、多段階に導通角を基準とする調光情報である信号Ｓａｄを生成できるように構成されている。
【００３０】
このように構成されている照明システム１００は、調光器８によって任意に変更された電圧Ｖの導通角（位相角）に基づいて照明装置１の配光特性が異なる第１ＬＥＤユニット７ａの照度と第２ＬＥＤユニット７ｂの照度とを変更する。これにより、照明システム１００は、照明装置１の照射範囲を含めた調光を行うことができる。
【００３１】
以下では、図１から図３を用いて、本発明の一実施形態に係る照明装置１を含む照明システム１００の制御態様について説明する。
【００３２】
図１に示すように、照明システム１００における照明装置１の調光信号生成装置５は、調光器８から信号Ｓａｄを取得する。調光信号生成装置５は、取得した信号Ｓａｄに基づいて図３に示すＰＷＭ信号Ｓａ・Ｓｂを生成する。そして、調光信号生成装置５は、第１ＤＣ／ＤＣコンバータ３にＰＷＭ信号Ｓａを伝達し、第２ＤＣ／ＤＣコンバータ４にＰＷＭ信号Ｓｂを伝達する。
【００３３】
照明ユニット制御部２の第１ＤＣ／ＤＣコンバータ３は、取得したＰＷＭ信号Ｓａに基づいて電流ＩａをＬＥＤモジュール７の第１ＬＥＤユニット７ａのＬＥＤに供給する。同様にして、照明ユニット制御部２の第２ＤＣ／ＤＣコンバータ４は、取得したＰＷＭ信号Ｓｂに基づいて電流ＩｂをＬＥＤモジュール７の第１ＬＥＤユニット７ｂのＬＥＤに供給する。
【００３４】
ＬＥＤモジュール７には、照明ユニット制御部２の第１ＤＣ／ＤＣコンバータ３から供給された電流Ｉａが第１ＬＥＤユニット７ａのＬＥＤに供給され、照明ユニット制御部２の第２ＤＣ／ＤＣコンバータ４から供給された電流Ｉｂが第２ＬＥＤユニット７ｂのＬＥＤに供給される。第１ＬＥＤユニット７ａのＬＥＤと第２ＬＥＤユニット７ｂのＬＥＤとは、電流Ｉａまたは電流Ｉｂに応じた光量で点灯する。つまり、照明システム１００は、電流Ｉａまたは電流Ｉｂ、および調光器８の信号Ｓａｄに基づいて決定された照度で、図２に示す領域Ａと領域Ｂとを照らす。
【００３５】
図３に示すように、調光信号生成装置５は、調光器８から取得した信号Ｓａｄが信号Ｓａｄ１から信号Ｓａｄｔ（第２ＬＥＤユニット７ｂにおける信号Ｓａｄ２）の間で変更された場合、第１ＬＥＤユニット７ａの光出力Ｗａが単位導通角（位相角）当たり変化量ΔＷａ１だけ変化するようにＰＷＭ信号ＳａをＰＷＭ信号Ｓａ１からＰＷＭ信号Ｓａｔまでの間で決定する。同様にして、調光信号生成装置５は、第２ＬＥＤユニット７ｂの光出力Ｗｂが単位導通角（位相角）当たり変化量ΔＷｂ１だけ変化するようにＰＷＭ信号ＳｂをＰＷＭ信号Ｓｂ１からＰＷＭ信号Ｓｂ２までの間で決定する。また、調光信号生成装置５は、調光器８から取得した信号Ｓａｄが信号Ｓａｄｔから信号Ｓａｄ３までの間で変更された場合、第１ＬＥＤユニット７ａの光出力Ｗａが単位導通角（位相角）当たり変化量ΔＷａ２だけ変化するようにＰＷＭ信号ＳａをＰＷＭ信号ＳａｔからＰＷＭ信号Ｓａ３までの間で決定し、第２ＬＥＤユニット７ｂの光出力Ｗｂがゼロまたは最小値で維持されるようにＰＷＭ信号ＳｂをＰＷＭ信号Ｓｂ２に決定する。
【００３６】
このように構成することで、本発明に係る照明装置の一実施形態に係る照明装置１を含む照明システム１００は、第１ＬＥＤユニット７ａの光出力Ｗａが基準値Ｗａｔ以上の場合、調光器８から取得した信号Ｓａｄが信号Ｓａｄ１から信号Ｓａｄｔまでの間で変更されると、第１ＬＥＤユニット７ａの光出力Ｗａが単位導通角（位相角）当たり変化量ΔＷａ１だけ変化すると同時に第２ＬＥＤユニット７ｂの光出力Ｗｂが単位導通角（位相角）当たり変化量ΔＷｂ１だけ変化する。つまり、調光器８のツマミ８ａが最大値を指している状態から最小値に向かって回転操作されると、第１ＬＥＤユニット７ａと第２ＬＥＤユニット７ｂとの光出力Ｗａ・Ｗｂが同時に小さくなる。また、調光器８のツマミ８ａが最小値を指している状態から最大値に向かって回転操作されると、第１ＬＥＤユニット７ａと第２ＬＥＤユニット７ｂとの光出力Ｗａ・Ｗｂが同時に大きくなる。これにより、配光特性が異なる第１ＬＥＤユニット７ａと第２ＬＥＤユニット７ｂとの調光の変化がより滑らかに感じることができる。また、第１ＬＥＤユニット７ａと第２ＬＥＤユニット７ｂとの光出力Ｗａ・Ｗｂが同時に小さくされるので消費電力を抑制することができる。
【００３７】
また、照明装置１は、第１ＬＥＤユニット７ａの光出力Ｗａが基準値Ｗａｔ以上の場合の変化量ΔＷａ１と基準値Ｗａｔ未満の場合の変化量ΔＷａ２とが異なる値に設定されている。これにより、配光特性が異なる第１ＬＥＤユニット７ａと第２ＬＥＤユニット７ｂとの調光の変化がより滑らかに感じることができる。
【００３８】
また、照明装置１は、第１ＬＥＤユニット７ａの光出力Ｗａが基準値Ｗａｔである信号Ｓａｄｔから光出力Ｗａがゼロまたは最小値である信号Ｓａｄ３との間の任意の信号Ｓａｄにおいて前記第２ＬＥＤユニット７ｂの光出力Ｗｂが最小値になるように設定することができる。これにより、第１ＬＥＤユニット７ａと第２ＬＥＤユニット７ｂとの出力差や色調に基づいて調光の変化がより滑らかに感じるように構成することができる。
【符号の説明】
【００３９】
１      照明装置
２      照明ユニット制御部
７ａ    第１ＬＥＤユニット
７ｂ    第２ＬＥＤユニット
８      調光器
Ｓａｄ      信号
Ｓａｄ１    光出力を最大にする信号
Ｓａｄｔ    光出力を基準値にする信号
Ｗａ    第１ＬＥＤユニットの光出力
Ｗｂ    第２ＬＥＤユニットの光出力
Ｗａｔ  基準値
ΔＷａ    第１ＬＥＤユニットの光出力の変化量
ΔＷｂ    第２ＬＥＤユニットの光出力の変化量
【図１】
2015210875.tif 000003
【図２】
2015210875.tif 000004
【図３】
2015210875.tif 000005
【図４】
2015210875.tif 000006